(57)【特許請求の範囲】
【請求項１】
外部機器と通信を行う第１の通信手段と、
前記第１の通信手段の通信アドレスを格納する記憶手段と、
搭載されている少なくとも１台の受信機と通信を行う第２の通信手段と、
前記第１の通信手段及び第２の通信手段を介して、外部機器や受信機からの情報を受け付け、前記情報の演算や加工を実行して所定の制御情報を出力する制御手段と、を備え、
前記制御手段は、
該受信機が前記第２の通信手段と接続された状態で、該受信機における操作により該受信機から送信された信号に基づき、前記記憶手段に格納された前記通信アドレスを読み出し、前記通信アドレスを該受信機に設けられた表示手段に表示させるために該受信機に送信することを特徴とする受信機用ラック。
【請求項２】
少なくとも１台の受信機と、
前記受信機の状態を監視する外部機器と、
前記受信機を搭載することができる受信機用ラックと、を有し、
前記受信機用ラックは、前記外部機器と通信を行う第１の通信手段と、
前記第１の通信手段の通信アドレスを格納する記憶手段と、
前記受信機と通信を行う第２の通信手段と、
前記第１の通信手段及び第２の通信手段を介して、外部機器や受信機からの情報を受け付け、前記情報の演算や加工を実行して所定の制御情報を出力する制御手段と、を備え、
前記制御手段は、前記受信機が前記第２の通信手段と通信可能な状態で、該受信機における操作より該受信機から送信された信号に基づき、前記記憶手段に格納された前記通信アドレスを読み出し、該受信機に前記通信アドレスを送信するものであり、
前記受信機は、読み出された前記通信アドレスを該受信機が有する表示手段に表示をすることを特徴とする受信機監視システム。
【発明の詳細な説明】
【技術分野】
【０００１】
本発明は、ワイヤレスマイクロホン等の送信機に対する受信機を格納するために用いられる受信機用ラック、及びそれを用いた受信機監視システムに関する。
【背景技術】
【０００２】
テレビ局などの無線システムは、多数の送信機例えばワイヤレスマイクロホンやインターカムを用いており、それとともに受信機が使用されている。受信機と通信ができる送信機は、台数に制限があるので、送信機が多くなれば、受信機は複数台使用されることになる。複数台の受信機が使用される場合は、監視装置によって管理及び運用状態の監視を行う必要がある。
【０００３】
そこで、各受信機には、監視装置と通信を行うため、有線で監視装置と接続され、監視を行っていることが知られている（特許文献１）。
【０００４】
また、受信機に直接監視装置との通信手段が無い場合には、受信機用ラックに通信手段を設け、受信機用ラックに受信機を何台か格納し、受信機用ラックを通して格納されている受信機の監視を行っている。
【０００５】
このような場合、受信機用ラックには、監視装置と通信を行うための通信ポートがあり、１つの通信アドレスが設定されている。通信は主にＴＣＰ／ＩＰの通信プロトコルが用いられ、ＩＰアドレスが設定されている。ＩＰアドレスの設定は、監視装置から行われる。
【０００６】
また、受信機が多くなる場合、受信機用ラックが、複数設けられており、それぞれに異なる通信アドレスが付与され、複数の受信機を少なくとも１台の監視装置により管理及び運用状態の監視を行っている。
【先行技術文献】
【特許文献】
【０００７】
【特許文献１】特開２００３−３１８８４５
【発明の概要】
【発明が解決しようとする課題】
【０００８】
ところで、送信機の配置変更により使用形態が変わり、無線システムの変更を行う時がある。その場合、受信機および受信機用ラックの配置を変更することがある。
受信機用ラックには、それぞれにＩＰアドレスが付与されているが、設定されているＩＰアドレスを表示する手段がなく、単体で変更する手段も備えていない。したがって、受信機用ラックの配置が変更された場合、ＩＰアドレスを別途覚えておかないと設定さているＩＰアドレスが分からなくなり、監視装置と受信機用ラックとは通信ができなくなってしまうという問題がある。
【０００９】
そこで、本発明は、監視装置と受信機用ラックの通信に用いられる受信機用ラックの通信アドレスの確認と、配置変更時等における通信アドレスの変更を容易に行うことができる受信機用ラック及び受信機監視システムを提供することを目的とする。
【課題を解決するための手段】
【００１０】
本発明は、外部機器と通信を行う第１の通信手段と、前記第１の通信手段の通信アドレスを格納する記憶手段と、搭載されている少なくとも１台の受信機と通信を行う第２の通信手段と、前記第１の通信手段及び第２の通信手段を介して、外部機器や受信機からの情報を受け付け、前記情報の演算や加工を実行して所定の制御情報を出力する制御手段と、を備え、前記制御手段は、該受信機が前記第２の通信手段と接続された状態で、該受信機における操作により該受信機から送信された信号に基づき、前記記憶手段に格納された前記通信アドレスを読み出し、前記通信アドレスを該受信機に設けられた表示手段に表示させるために該受信機に送信することを特徴とする受信機用ラックである。
【００１１】
また、本発明は、少なくとも１台の受信機と、前記受信機の状態を監視する外部機器と、前記受信機を搭載することができる受信機用ラックと、を有し、前記受信機用ラックは、前記外部機器と通信を行う第１の通信手段と、前記第１の通信手段の通信アドレスを格納する記憶手段と、前記受信機と通信を行う第２の通信手段と、前記第１の通信手段及び第２の通信手段を介して、外部機器や受信機からの情報を受け付け、前記情報の演算や加工を実行して所定の制御情報を出力する制御手段と、を備え、前記制御手段は、前記受信機が前記第２の通信手段と通信可能な状態で、該受信機における操作より該受信機から送信された信号に基づき、前記記憶手段に格納された前記通信アドレスを読み出し、該受信機に前記通信アドレスを送信するものであり、前記受信機は、読み出された前記通信アドレスを該受信機が有する表示手段に表示をすることを特徴とする受信機監視システムである。
【発明の効果】
【００１２】
本発明によれば、受信機用ラックに格納されている受信機の表示手段を用いて通信アドレスを表示することとしたため、容易に受信機用ラックの通信アドレスの確認が行え、配置変更時等における通信アドレスの変更を行うことができるようになった。
【図面の簡単な説明】
【００１３】
【図１】本発明の実施の形態に係る受信機監視システム構成図
【図２】本発明の実施の形態に係る受信機を受信機用ラックに搭載した状態の図
【図３】本発明の実施の形態に係る受信機用ラックのブロック構成図
【図４】本発明の実施の形態に係る受信機監視システムの動作フローチャート図
【図５】本発明の実施の形態に係る受信機の表示部の状態遷移図
【発明を実施するための形態】
【００１４】
本発明の実施の形態（以下、本実施形態という。）に係る受信機用ラック及び受信機監視システムについて、図を用いて以下に説明をする。
【００１５】
（１）受信機監視システムの構成
（１−１）受信機監視システムの全体構成
まず、図１は、本実施形態の受信機用ラック２を用いた受信機監視システムを示した図ある。
受信機監視システムには、受信機３の監視を行う監視装置１と複数台の受信機用ラック２（２−１、２−２、・・・）とが、ＨＵＢ５を介してＬＡＮケーブル４で接続されている。受信機用ラック２には、受信機３（３−１−１、３−１−２、３−１−３、３−１−４）が複数台設置されている。図１に示すように、受信機用ラック２−１には、受信機３−１−１、受信機３−１−２、受信機３−１−３、受信機３−１−４の４台が搭載されており、受信機用ラック２−２には、同様に受信機３−２−１、受信機３−２−２、受信機３−２−３、受信機３−２−４の４台が搭載されている。各受信機３には、それぞれ対応する送信機６が使用される。なお、図１では、簡略化のため、送信機６を１台のみ例示しているが、実際は、各受信機３に１台または、それ以上の送信機６からの信号を受信できるようになっている。
【００１６】
ここで、上述のとおり、監視装置１と受信機用ラック２とはＬＡＮケーブル４で物理的に接続（下位レイヤ層での接続）されている。この場合、図に示すように、ＨＵＢ５を介して接続しても、介さず接続してもどちらでもよい。この状態で、監視装置１から受信機用ラック２に設定されているＩＰアドレスに対してソフト的な接続（上位レイヤ層での接続）が行われる。これにより、監視装置１と受信機用ラック２との通信が行えるようになり、例えば、受信機用ラック２に異常があればアラームとして監視装置１に表示がされるようになる。このようにして、受信機用ラック２は、監視装置１から監視が行える状態になる。
【００１７】
（１−２）受信機用ラックの外部構成
図２は、受信機用ラック２を正面から見た詳細図である。受信機ラック２には、図２の左から順に示すように、１ｃｈ（１チャンネル）の受信機３−１−１から４ｃｈ（４チャンネル）の受信機３−１−４まで搭載されている。すなわち、受信機３は、各チャンネルに一台ずつ設けられている。また、図２の右端に示すように、受信機用ラック２は、電源スイッチ７を備え、この電源スイッチ７により受信機用ラック２の電源のオン／オフを行えるようになっている。
【００１８】
受信機３は、表示部８と、ＳＥＴボタン９とを備える。表示部８は、各チャンネルの受信状態を表示するための表示手段である。また、ＳＥＴボタン９は、受信機３の保守作業を行えるような状態にする保守モードと、受信機３の通常の運転を行えるような状態にする運用モードの切換を行うボタンである。
【００１９】
（１−３）受信機用ラックの内部構成
続いて、複数の受信機３を搭載した受信機用ラック２の内部構成について、図３を参照して説明する。図３は、受信機用ラック２の機能ブロック図である。
受信機用ラック２は、監視通信部１０、音声通信部１１、電源部１２を備えている。
【００２０】
監視通信部１０は、少なくともＬＡＮデバイス１３、メモリ１４、ＣＰＵ１５、シリアル通信デバイス１６が配置されている。
【００２１】
音声通信部１１は、受信機３と音声通信デバイス１８−１を介して接続されている。送信機６、例えばワイヤレスマイクロホンは、入力された音声を送信し、該音声は、受信機用ラック２内にある受信機３で受信し、音声通信デバイス１８−１、１８−２を介して、受信機用ラック２の外にある音声調整装置等（図示せず）へ音声を出力する。
【００２２】
電源部１２には、電源ユニット１７が配置されている。また、電源部１２には、図２において電源スイッチ７として説明した電源スイッチ７が設けられている。電源スイッチ７をＯＮすると、受信機用ラック２の電源が投入され、ＯＦＦすると電源が切れる。
【００２３】
続いて、監視通信部１０の詳細な構成について説明する。
監視通信部１０のＬＡＮデバイス１３は、監視装置１と受信機用ラック２をＬＡＮで接続するための受信機用ラック２側のデバイスであり、第１の通信手段である。
【００２４】
メモリ１４は、上記ＬＡＮデバイス１３により通信を行うために受信機用ラック２のＩＰアドレスを記録する記憶手段である。
【００２５】
ＣＰＵ１５は、受信機３からＩＰアドレスの読み取り信号を受信し、メモリ１４に格納したＩＰアドレスを取り出し、このＩＰアドレスを受信機３に送信する制御手段である。
【００２６】
シリアル通信デバイス１６は、受信機用ラック２と受信機３との通信を行うための受信機用ラック２側のデバイスであり、第２の通信手段である。受信機用ラック２と受信機３とは、シリアル通信デバイス１６を用いて、シリアル通信により接続されている。
【００２７】
（１−４）受信機用ラックにおけるＩＰアドレスの変更
上述のように、受信機用ラック２は、監視装置１から監視が行える状態で、受信機用ラック２に対して、監視装置１上からＩＰアドレスの書き換え制御を行う。具体的には、監視装置１のＩＰアドレスを書き換えるソフトウェア上からＩＰアドレスを書き換えたい受信機用ラック２に対し、ＩＰアドレスの書き換え制御を行うと、その受信機用ラック２のＣＰＵ１５は、受信機用ラック２のメモリ１４に格納されているＩＰアドレスの書き換え制御を行う。受信機用ラック２は、書き換えが完了すれば、書き換えられたＩＰアドレスで動作がされる。
【００２８】
（２）受信機監視システムの作用
以上のような構成に基づいて実行される、本実施形態の受信機監視システムの作用について、以下に説明する。
図４は、通信アドレスを記憶手段から取得し、受信機３へ送信する時のフローチャートを表している。同図に示すように、まず、電源スイッチ７をＯＮにする（Ｓ１０１）。電源スイッチ７をＯＮにしたときにＳＥＴボタン９がＯＦＦされている場合（通常時の立ち上げ、Ｓ１０２の「ＯＦＦ））、運用モード（Ｓ１０３）になる。
【００２９】
電源スイッチ７をＯＮにしたときに、ＳＥＴボタン９がＯＮされている場合（Ｓ１０２の「ＯＮ」）、保守モード（Ｓ１０４）に移行する。保守モードに移行したことを受信機３の制御手段で認識した受信機３は、受信機用ラック２のＣＰＵ１５にＩＰアドレスの取得信号を受信機３から送信する。この信号を受信したＣＰＵ１５は、メモリ１４に格納されているＩＰアドレスを取得し、該受信機３に通知し、該受信機３は、該受信機３の表示部８にＩＰアドレスを表示する（Ｓ１０５）。
図５は、保守モードに移行してからＩＰアドレスを表示する表示部８の遷移を表している。図５の左側は、保守モードに移行し、ＩＰアドレスの取得中の状態を表している。また、図５の右側は、取得されたＩＰアドレスを表示している状態を表している。
【００３０】
保守モードから通常のモードに移行するには、電源をＯＦＦし（Ｓ１０６）、ＳＥＴボタン９もＯＦＦにした後、再度電源スイッチ７をＯＮにすればよい（Ｓ１０３）。
受信機用ラック２のＩＰアドレスは、出荷時に設定されているので、初期運用時は、ＩＰアドレスを改めて設定する必要がなく、受信機用ラック２を使用できる。また、ＩＰアドレスが分かっているので、変更も監視装置１と受信機用ラック２を接続し、容易に変更することは可能である。
【００３１】
（３）受信機監視システムの効果
以上のような本実施形態の受信機監視システムによれば、無線システムの変更により受信機用ラック２のＩＰアドレスが分からなくなってしまった場合、上述のとおりＩＰアドレスを確認し、監視装置１から確認をしたＩＰアドレスに対して通信を行い、ＩＰアドレスの変更を行うことができる。その後、受信機用ラック２の電源スイッチ７及びＳＥＴボタン９をＯＦＦにし、電源スイッチ７をＯＮにし、再度立ち上げを行えば、変更されたＩＰアドレスで運用の開始ができる、受信機３も送信機６から音声信号の受信が可能となる。
【００３２】
（４）他の実施形態
本発明は、上述した実施形態に限定されるものでなく、例えば以下のような実施の態様も包含するものである。
上記実施形態では受信機３からの操作を電源スイッチ７のＯＮ／ＯＦＦとＳＥＴボタン９とで行う例を示したが、単に通信アドレスの読み出しボタンを設けることもできる。その場合は、電源スイッチ７のＯＮ／ＯＦＦを行う必要がないので、ＩＰアドレスの読み出す処理は、受信機用ラック２に格納されている他の受信機３には、影響を与えないため、受信機毎に行うことができる。したがって、他の受信機３が送信機６から音声信号を受信中であっても、ＩＰアドレスを確認することができるので、受信中の受信機３や受信機用ラック２全体を止める必要がなくなり受信システムを使用し続けることができる。
【００３３】
メモリは、ＬＡＮデバイスの外にあるように例を示したが、ＬＡＮデバイスが持っている機能（メモリ）を流用しても良い。
監視装置１と受信機用ラック２との通信方法をＬＡＮで接続する例を示したが、これに限定はされない。有線、無線を問わず、通信が可能であればよい。
監視装置１について例を示したが、受信用ラック２のＩＰアドレスを管理する外部機器であればよい。
【符号の説明】
【００３４】
１・・・監視装置、２・・・受信機用ラック、３・・・受信機、４・・・ＬＡＮケーブル、５・・・ＨＵＢ、６・・・送信機、７・・・電源スイッチ、８・・・表示部、９・・・ＳＥＴボタン、１０・・・監視通信部、１１・・・音声通信部、１２・・・電源部、１３・・・ＬＡＮデバイス、１４・・・メモリ、１５・・・ＣＰＵ、１６・・・シリアル通信デバイス、１７・・・電源ユニット、１８−１、１８−２・・・音声通信デバイス
【図１】
0005611161.tif 000002
【図２】
0005611161.tif 000003
【図３】
0005611161.tif 000004
【図４】
0005611161.tif 000005
【図５】
0005611161.tif 000006